(57)【要約】【課題】主に蓋部材の変形等を防止する。【解決手段】電池を収納する収納室の開口部を開閉する蓋ユニットが、機器本体に回転可能に取り付けられた第１の蓋部材６と、第１の蓋部材６に対して摺動可能であり、摺動により機器本体に対して係脱可能な第２の蓋部材９と、第１の蓋部材および第２の蓋部材を連結させる連結位置と、連結を解除する解除位置との間で移動可能であるとともに、解除位置にあるときに第２の蓋部材とともに移動可能な解除部材１１と、第２の蓋部材９又は解除部材１１に当接して、第１の蓋部材６に対する第２の蓋部材９の摺動方向への抜けを阻止する抜け止め部材（１４ｆ、１５ｆ）とを有する。【選択図】  図２
2004253601.tif 000002
【特許請求の範囲】
【請求項１】
電池を収納する収納室と、この収納室のうち前記電池を出し入れするための開口部を開閉する蓋ユニットとを有する電子機器において、
前記蓋ユニットが、
機器本体に回転可能に取り付けられた第１の蓋部材と、
この第１の蓋部材に対して摺動可能であり、摺動により前記機器本体に対して係脱可能な第２の蓋部材と、
前記第１の蓋部材および前記第２の蓋部材を連結させる連結位置と、この連結を解除する解除位置との間で移動可能であるとともに、前記解除位置にあるときに前記第２の蓋部材とともに移動可能な解除部材と、
前記第２の蓋部材又は前記解除部材に当接して、前記第１の蓋部材に対する前記第２の蓋部材の摺動方向への抜けを阻止する抜け止め部材とを有することを特徴とする電子機器。
【発明の詳細な説明】
【０００１】
【発明の属する技術分野】
本発明は、機器本体内に設けられ、電池等のアクセサリを収納する収納室を有する電子機器に関するものであり、具体的には収納室の開口部を覆う蓋の構造に関するものである。
【０００２】
【従来の技術】
従来、カメラのような小型携帯式の電子機器に電源電池を収める手法には種々の提案がなされている。例えば、カメラ本体のうち撮影時に撮影者が保持するアクショングリップ部の内側を空洞にして、この領域を電池室としているものがあり、この構造は広く普及している。この構造について図１０および図１１を用いて説明する。
【０００３】
図１０において、カメラ本体３１は、撮影者によって保持されるアクショングリップ部３１ａを有している。電池蓋３２は、電池をカメラ本体３１内に出し入れするための開口部を覆う。このカメラは、開口部を覆った状態にある電池蓋３２をＺ方向にスライドさせてから９０度以上回転させることにより、開口部を開くことができるようになっている。
【０００４】
図１１はカメラの分解斜視図であり、主に電池を収納するための構造を示している。このカメラは４本の単三電池３３〜３６をカメラ本体３１内に収納するタイプである。カメラ本体３１は、フロントカバー３７およびリアカバー３８で構成される。フロントカバー３７および電池ホルダ３９によって形成されたスペースが、単三電池３３〜３６を収納するための電池室となる。
【０００５】
次に、電池蓋３２の構造について説明する。４０は単三電池３３、３６の電極となる第１蓋部材であり、単三電池３３、３６と接触する接触部４０ａ、４０ｂを有している。第１蓋部材４０は、回転軸４１を介して電池ホルダ３９の軸受部３９ａに取り付けられ、回転軸４１を中心に９０度以上回転可能である。
【０００６】
４２は電池蓋３２の外装を構成する第２蓋部材であり、この内側にガイド部４２ａ、４２ｂを有する。ガイド部４２ａ、４２ｂには、第１蓋部材４０の摺動部４０ｃ、４０ｄが係合しており、摺動部４０ｃ、４０ｄはガイド部４２ａ、４２ｂに沿ってＺ方向に移動可能となっている。
【０００７】
第２蓋部材４２に形成された係止部４２ｃ、４２ｄ、４２ｅは、フロントカバー３７に設けられた爪部３７ａ、３７ｂ、３７ｃに係合可能となっている。４３は単三電池３４、３５に接触する電極端子であり、ビスによって第２蓋部材４２に固定されている。
【０００８】
４５は解除部材で、第２蓋部材４２に設けられた取付溝部４２ｆに配置され、スライドボタン４５ａがスライド穴部４２ｇを貫通して第２蓋部材４２の外部に露出する。スライド穴部４２ｇの長さはスライドボタン４５ａの長さよりも長くなっているため、スライドボタン４５ａ（解除部材４５）はスライド穴部４２ｇの範囲内において移動可能となっている。
【０００９】
また、解除部材４５のロックピン４５ｂ、４５ｃは、第１蓋部材４０に形成されたＬ字状のロック穴部４０ｅ、４０ｆにはまり込むようになっている。また、ロックピン４５ｂ、４５ｃは、ロック穴部４０ｅ、４０ｆから突出してカメラ本体３１に係合可能となっている。４６はバネで、解除部材４５をＸ軸一方向に常時付勢している。
【００１０】
電池蓋３２を組み立てる際には、まず解除部材４５およびバネ４６を第２蓋部材４２（取付溝部４２ｆ）に配置しておいてから、第１蓋部材４０を撓ませながら第２蓋部材４２にはめ込むことになる。
【００１１】
上述した構成において、解除部材４５をロック穴部４０ｅ、４０ｆに沿ってＸ方向にスライドさせると、ロックピン４５ｂ、４５ｃおよびカメラ本体１の係合が解除される。これにより、第２蓋部材４２を第１蓋部材４０に対してＺ方向に（ロック穴部４０ｅ、４０ｆに沿って）スライドさせることができる。この第２蓋部材４２のスライド操作により、係止部４２ｃ〜４２ｅと爪部３７ａ〜３７ｃとの係合が解除され、電池蓋３２を開くことができる。
【００１２】
【発明が解決しようとする課題】
しかし、上述した電池蓋の構造では、電池蓋の組立途中において、第１蓋部材４０を撓ませながら第２蓋部材４２に組み込む必要があるため、第１蓋部材４０（電池端子）が変形してしまう恐れがある。同様に、電池蓋の分解時には第１蓋部材４０を撓ませながら第２蓋部材４２から取り外す必要があるため、このときに第１蓋部材４０により第２蓋部材４２やスライドボタン４５ａ等を傷つけてしまう恐れがある。
【００１３】
この問題を解消するために、例えば第２蓋部材４２を２つに分割した構成とし、この分割した２つの部材により第１蓋部材４０を挟み込んでからビス等で締結するといった方法も考えられる。
【００１４】
しかし、この方法では、従来技術の電池蓋の構造に比べて部品点数や組み立て工数が増加するとともに、ビスで固定するためのスペースが必要になることで電池蓋全体の厚みが厚くなったり、電池蓋全体の大きさが大きくなったりしてしまう。
【００１５】
ここで、単三電池のように全長の長い電池を電池室に収納させる場合において、カメラの小型化を図るためには電池蓋の厚みを薄くする必要がある。
【００１６】
また、カメラのような携帯性の高い電子機器は、使用中に外部から振動や衝撃を受ける機会が多く、この際に電池と電池端子とが瞬間的に非接触状態となる恐れがある。このように電池および電池端子が非接触状態となり、電源電圧が降下することは、電子機器内部の電子回路や記録情報の保持に悪影響を及ぼす恐れがある。
【００１７】
一方、頻度の高い電池交換作業を容易に行うことができるようにすることは、電子機器の操作性を向上させるために望ましいことである。
【００１８】
本発明は、上述した観点から、主に部品点数を増やすことなく、電池蓋の組み立て時に電池蓋の構成部品が変形等したりするのを防止することができる電子機器を提供することを目的とする。
【００１９】
【課題を解決するための手段】
本発明は、電池を収納する収納室と、この収納室のうち電池を出し入れするための開口部を開閉する蓋ユニットとを有する電子機器において、蓋ユニットが、機器本体に回転可能に取り付けられた第１の蓋部材と、この第１の蓋部材に対して摺動可能であり、摺動により機器本体に対して係脱可能な第２の蓋部材と、第１の蓋部材および第２の蓋部材を連結させる連結位置と、この連結を解除する解除位置との間で移動可能であるとともに、解除位置にあるときに第２の蓋部材とともに移動可能な解除部材と、第２の蓋部材又は解除部材に当接して、第１の蓋部材に対する第２の蓋部材の摺動方向への抜けを阻止する抜け止め部材とを有することを特徴とする。
【００２０】
【発明の実施の形態】
図１に、本発明の１実施形態であるカメラ（電子機器）の外観斜視図を示す。
【００２１】
同図において、１はカメラ本体であり、撮影レンズ、シャッタ、撮像媒体（フィルムやＣＣＤ等の撮像素子）等の撮影に必要な部材を備えている。１ａは撮影時に撮影者によって保持されるアクショングリップ部である。このアクショングリップ部１ａの内部には、後述するように電池室が設けられている。
【００２２】
２はカメラ本体１の底面に設けられた電池蓋（蓋ユニット）であり、カメラ本体１内に設けられた電池室のうち電池を出し入れするための開口部を覆う。この電池蓋２は、カメラ本体１に対してＺ方向に移動可能であるとともに、カメラ本体１に対して回転可能に支持されている。すなわち、後述するように電池蓋２をＺ方向に移動させてから回転させることで、電池室の開口部を開くことができる。
【００２３】
次に、図２から図９を用いて本実施形態のカメラの内部構造について説明する。
【００２４】
図２および図３はカメラの分解斜視図であり、図２はカメラを上方から見た図であり、図３はカメラを下方から見た図である。また、図４から図９は、電池蓋の開閉動作を説明するための図である。なお、これらの図においては、電池室周辺の構造を主に示している。
【００２５】
これらの図において、３はカメラ本体１のうち前面側の外装を構成するフロントカバーであり、４はカメラ本体１のうち背面側の外装を構成するリアカバーである。５はカメラ本体１内に配置され、電池１６〜１９を保持するための電池ホルダである。
【００２６】
電池ホルダ５およびフロントカバー３によって形成されたスペースが、電池１６〜１９を収納するための電池室となる。
【００２７】
次に、電池蓋２の構造について詳細に説明する。
【００２８】
６は非導電性のモールド樹脂で形成された第１蓋部材であり、回転軸７を介して電池ホルダ５の下端面に形成された軸受部５ａに取り付けられている。これにより、第１蓋部材６は、回転軸７を中心に９０度以上回転可能となっている。
【００２９】
８は回転軸７に貫通して取り付けられた回転バネ（付勢部材）であり、第１蓋部材６を常に一方向（電池蓋２の開き方向）に付勢している。
【００３０】
９は電池蓋２の外装を構成する第２蓋部材であり、この内側にガイド溝部９ａ〜９ｃを有している。ガイド溝部９ａ〜９ｃにはそれぞれ、第１蓋部材６のリブ６ａ〜６ｃが係合しており、ガイド溝部９ａ〜９ｃとリブ６ａ〜６ｃとがＺ方向に相対的に摺動可能となっている。
【００３１】
また、第２蓋部材９に形成された係止部９ｄ〜９ｆはそれぞれ、フロントカバー３に設けられた爪部３ａ〜３ｃに対して係脱可能となっている。すなわち、第２蓋部材９をフロントカバー３に対してＺ方向にスライドさせることにより、係止部９ｄ〜９ｆおよび爪部３ａ〜３ｃを係合させたり、この係合を外したりすることができる。
【００３２】
１０は第１蓋部材６と第２蓋部材９との間に配置された第１付勢バネ（付勢部材）であり、第２蓋部材９を第１蓋部材６に対して常にＺ方向で引き離すように付勢している。
【００３３】
１１は解除部材で、第２蓋部材９に設けられた取付溝部９ｇに配置される。解除部材１１の一方の面に凸状に形成されたスライドボタン１１ａは、蓋カバー部９に形成された長穴状のスライド穴部９ｈを貫通して第２蓋部材９（電池蓋２）の外部に露出する。スライド穴部９ｈの長さはスライドボタン１１ａの長さよりも長くなっており、スライドボタン１１ａ（解除部材１１）はスライド穴部９ｈに沿って（Ｘ方向に）移動可能となっている。
【００３４】
解除部材１１の他方の面（スライドボタン１１ａが形成された面と反対の面）に形成されたロックピン１１ｂ、１１ｃはそれぞれ、第１蓋部材６に形成され、Ｘ方向に延びるロック溝部６ｆ、６ｇにはまり込む。
【００３５】
電池蓋２を組み立てる際には、まずスライドボタン１１ａをスライド穴部９ｈにはめ込むとともに、ロックピン１１ｂ、１１ｃをガイド溝部６ｄ、６ｅにスライドさせながらはめ込んで、ロック溝部６ｆ、６ｇまで移動させる。同時に、ガイド溝部９ａ〜９ｃとリブ６ａ〜６ｃを係合させる。
【００３６】
このように解除部材１１が組み込まれた第２蓋部材９を第１蓋部材６にスライドさせながらはめ込むようにすることで、従来技術のように電池蓋の構成部材を撓ませる必要がなく、容易に電池蓋２を組み立てることができる。しかも、本実施形態では、従来技術で説明したように２つの部材をビス等で連結することもないため、ビス等を取り付けるためのスペースが不要となり、電池蓋２の厚みが厚くなったり、電池蓋２全体の大きさが大きくなったりすることもない。また、電池蓋の組み立て工数が増えることもない。
【００３７】
ロック溝部６ｆ、６ｇは、上述したようにＸ方向に延びるように形成されているため、ロックピン１１ｂ、１１ｃをロック溝部６ｆ、６ｇに沿って移動させることにより、解除部材１１をＸ方向に移動させることができる。
【００３８】
ロックピン１１ｂ、１１ｃがロック溝部６ｆ、６ｇのうちＸ（＋）方向の端部に位置しているときには、ロックピン１１ｂ、１１ｃがロック溝部６ｆ、６ｇの端部側面に当接するため、第１付勢バネ１０の付勢力に抗して第２蓋部材９を所定位置（係止部９ｄ〜９ｆおよび爪部３ａ〜３ｃが係合する位置）に保持することができる。
【００３９】
１１ｄは解除部材１１の一端に形成された検出部であり、解除部材１１が後述する第２付勢バネ１３からの付勢力を受けることによりスライドボタン１１ａがスライド穴部９ｈの一端側（Ｘ（＋）側）に位置しているときには、電池蓋２から突出して、カメラ本体１に設けられた検出スイッチ１２と当接する（図４）。このとき、検出部１１ｄは、カメラ本体１と係合しており、電池蓋２を電池室の開口部を覆った位置（閉じ位置）に保持する。
【００４０】
電池蓋２を開くために解除部材１１を第２付勢バネ１３の付勢力に抗して図４に示す状態からＸ（−）方向にスライドさせると、図５に示すように検出部１１ｄおよび検出スイッチ１２が非接触の状態になるとともに、検出部１１ｄおよびカメラ本体１の係合が解除される。
【００４１】
このようにスライドボタン１１ａの操作に応じて、検出部１１ｄおよび検出スイッチ１２を接触状態としたり、非接触状態としたりすることにより、カメラ本体１内に設けられた制御部（不図示）は検出スイッチ１２からの信号に基づいて電池蓋２の開閉状態を判別することができる。
【００４２】
１３は第２蓋部材９と解除部材１１の間に配置された第２付勢バネであり、解除部材１１をＸ（＋）方向に付勢する。
【００４３】
１４および１５は電池端子であり、カメラ本体１の電池室に収納される単三電池１６〜１９に接触する電極１４ａ、１４ｂや電極１５ａ、１５ｂを有している。
【００４４】
電池端子１４、１５はそれぞれ、曲げ部１４ｃ、１４ｄや曲げ部１５ｃ、１５ｄによってバネ性を有しており、電極１４ａ、１４ｂ、１５ａ、１５ｂが電池１６〜１９に対して圧接できるようになっている。
【００４５】
これにより、電極１４ａ、１４ｂ、１５ａ、１５ｂと電池１６〜１９との電気的接続の信頼性を高めることができる。特に、カメラ本体１に外部から振動が加わったり、カメラ本体１が落下してカメラ本体１に衝撃が加わったりしたときに、電極１４ａ、１４ｂ、１５ａ、１５ｂと電池１６〜１９とが瞬間的に非接触状態になるのを防止することができる。
【００４６】
また、電池端子１４、１５は、ビス２０、２１により第１蓋部材６に固定される。このとき、電池端子１４、１５の位置決め穴部１４ｅ、１５ｅが第１蓋部材６の位置決めピン６ｈ、６ｉと係合し、電池端子１４、１５のロック部（抜け止め部材）１４ｆ、１５ｆが貫通穴部６ｊ、６ｋと係合する。
【００４７】
ロック部１４ｆ、１５ｆの長さは、貫通穴部６ｊ、６ｋの長さよりも長く形成されているため、ロック部１４ｆ、１５ｆは貫通穴部６ｊ、６ｋから突出して、第１蓋部材６の表面を摺動する解除部材１１に当接可能となる。
【００４８】
ここで、第２蓋部材９は、第１付勢バネ１０の付勢力を受けることにより第１蓋部材６に対してＺ（＋）方向に移動可能となっているが、第２蓋部材９に組み込まれた解除部材１１がロック部１４ｆ、１５ｆに当接することで第２蓋部材９のＺ（＋）方向の移動、すなわち第１蓋部材６に対する第２蓋部材９（解除部材１１）の抜けを阻止している。なお、第２蓋部９をロック部１４ｆ、１５ｆに当接させて、第２蓋部９の抜けを阻止することもできる。
【００４９】
これにより、第２蓋部材９（解除部材１１）は、第１蓋部材６に対してＺ方向で所定量、摺動可能となる。
【００５０】
本実施形態では、ロック部１４ｆ、１５ｆが電池端子１４、１５に一体的に形成されているが、ロック部１４ｆ、１５ｆを単一の部材で構成してもよい。但し、本実施形態のように、ロック部１４ｆ、１５ｆを電池端子１４、１５と一体形成することにより、部品点数や電池蓋２の組み立て工数を減らすことができる。
【００５１】
一方、電池ホルダ５のうち第１蓋部材６と対向する面にも電池端子１４、１５と同様の電池端子が設けられている。このように本実施形態では、電池室のうち互いに向かい合う位置に電池端子が設けられているため、カメラの電源電池として単三電池を用いることができる。なお、電池室の一方に電池端子を設けることで、一端にのみ端子が設けられた電池を使用することもできる。
【００５２】
次に、上述した構成のカメラにおいて、電池蓋２の開閉動作について説明する。まず、電池蓋２を開いて電池室に電池１６〜１９を収納する操作について説明する。
【００５３】
電池蓋２が電池室の開口部を閉じた状態（図４、図７）にあるとき、解除部材１１は第２付勢バネ１２によりＸ（＋）方向に付勢されており、スライドボタン１１ａがスライド穴部９ｈの一端側（連結位置）に位置している。このとき、解除部材１１の検出部１１ｄが検出スイッチ１２に接触しているとともに、カメラ本体１に係合している。これにより、電池蓋２は、図４（図７）に示す状態に保持されている。
【００５４】
電池室の開口部を開くために、操作者は指でスライドボタン１１ａを図４のＸ（―）方向へスライドさせて、スライド穴部９ｈの他端側（解除位置）まで移動させる（図５）。これにより、解除部材１１の検出部１１ｄが検出スイッチ１２と非接触状態になるとともに、カメラ本体１との係合が解除される。このとき、第２蓋部材９は、第１付勢バネ１０の付勢力を受けてＺ（＋）方向に移動可能な状態となっている。
【００５５】
検出部１１ｄおよび検出スイッチ１２が非接触状態になると、制御部が検出スイッチ１２からの出力に基づいて電池蓋２の状態を判別する。すなわち、制御部は、検出スイッチ１２からの出力に基づいて、スライドボタン１１ａが操作されて電池蓋２が開かれる可能性があることを判断する。
【００５６】
これにより、制御部は、電池蓋２が開けられる前に必要な処理を行う。
【００５７】
そして、図５に示す状態から指でスライドボタン１１ａを押さえたまま、第２蓋部材９をＺ（＋）方向へ摺動させる（図６、図８）。これにより、係止部９ｄ〜９ｆと爪部３ａ〜３ｃとの係合が外れる。このとき、第１付勢バネ１０からの付勢力を受けている第２蓋部材９は、解除部材１１がロック部１４ｆ、１５ｆに当接した位置で保持される。
【００５８】
図６（図８）に示す状態でスライドボタン１１ａから指を離すと、電池蓋２は回転バネ８の付勢力を受けて回転軸７を中心に回転して、電池室の開口部を開く（図９）。これにより、電池室内に電池１６〜１９を収納することができる。
【００５９】
このように係止部９ｄ〜９ｆと爪部３ａ〜３ｃとの係合を解除すれば、後は回転バネ８の付勢力により電池蓋２は自動的に開くため、電池蓋２を開く操作が容易となる。
【００６０】
このとき、第２蓋部材９は第１付勢バネ１０からの付勢力を絶えず受けているため、解除部材１１がロック部１４ｆ、１５ｆに当接した位置に保持され、第１蓋部材６に対してずれたままとなっている。
【００６１】
次に、電池室の閉じ動作について説明する。
【００６２】
電池蓋２が開き状態（図９）にあるとき、操作者は、電池１６〜１９を正しい向きにしてから電池室に挿入する。そして、電池蓋２を指で押して９０度以上回転させることにより電池室の開口部を閉じる（図６、図８）。
【００６３】
このとき、第２蓋部材９は第１付勢バネ１０により付勢された位置にあるため、係止部９ｄ〜９ｆが爪部３ａ〜３ｃに衝突することはない。また、第１蓋部材６の先端は、電池室（フロントカバー３）の内壁に対して所定のクリアランスを保った状態にあるため、電池蓋２を閉じる際に第１蓋部材６の先端が電池室に衝突することもない。このため、電池蓋２をスムーズに閉じることができる。
【００６４】
電池蓋２が図６（図８）の状態にあるときには、第２蓋部材９が第１付勢バネ１０の付勢力を受けることでカメラ本体１（電池室の開口部）に対してずれた位置にある。
【００６５】
図６の状態において、第２蓋部材９をＺ（−）方向に移動させると、係止部９ｄ〜９ｆが爪部３ａ〜３ｃに係合するとともに、解除部材１１のロックピン１１ｂ、１１ｃがガイド溝部６ｄ、６ｅに沿って移動してロック溝部６ｆ、６ｇまで移動する。
【００６６】
ここで、係止部９ｄ〜９ｆが爪部３ａ〜３ｃに係合することにより、単三電池１６〜１９に対する電極１４ａ、１４ｂ、１５ａ、１５ｂの接触圧（バネ圧）や、回転バネ８の付勢力に抗して第２蓋部材９（電池蓋２）を閉じ状態に保持することができる。また、ロックピン１１ｂ、１１ｃがロック溝部６ｆ、６ｇに移動すると、解除部材１１が第２付勢バネ１３の付勢力を受けることで図５のＸ（＋）方向に自動的に移動して図４に示す状態となる。
【００６７】
このとき、検出部１１ｄが電池蓋２から突出して検出スイッチ１２を押し込むことにより、制御部において電池蓋２が完全に閉じていることを検出することができる。制御部は、検出スイッチ１２からの出力に基づいて電池蓋２が完全に閉じていることを検出すると、カメラを動作可能な状態とする。
【００６８】
電池蓋２が図４に示す状態にあるときには、解除部材１１が連結位置にあり、電池蓋２から指を離したり、指で第２蓋部材９をＺ（＋）方向に移動させようとしたりしても、ロックピン１１ｂ、１１ｃがロック溝部６ｆ、６ｇの側面に当接するため、第２蓋部材９はＺ（＋）方向に移動することはなく、図４（図７）に示す状態に保持される。
【００６９】
再び電池蓋２を開けたい場合は、操作者は再び上述した電池蓋２の開き操作を行えばよい。
【００７０】
以上説明した実施形態は、以下に示す各発明を実施した場合の一例でもあり、下記の各発明は上記実施形態に様々な変更や改良が加えられて実施されるものである。
【００７１】
〔発明１〕  電池を収納する収納室と、この収納室のうち前記電池を出し入れするための開口部を開閉する蓋ユニットとを有する電子機器において、
前記蓋ユニットが、
機器本体に回転可能に取り付けられた第１の蓋部材と、
この第１の蓋部材に対して摺動可能であり、摺動により前記機器本体に対して係脱可能な第２の蓋部材と、
前記第１の蓋部材および前記第２の蓋部材を連結させる連結位置と、この連結を解除する解除位置との間で移動可能であるとともに、前記解除位置にあるときに前記第２の蓋部材とともに移動可能な解除部材と、
前記第２の蓋部材又は前記解除部材に当接して、前記第１の蓋部材に対する前記第２の蓋部材の摺動方向への抜けを阻止する抜け止め部材とを有することを特徴とする電子機器。
【００７２】
上記発明１によれば、第１の蓋部材に対して第２の蓋部材（解除部材）を摺動させるだけで組み込むことができ、従来技術のように蓋部材を撓ませる必要がない。そして、第２の蓋部材又は解除部材に当接する抜け止め部材を設けることにより、第１の蓋部材に対する第２の蓋部材の抜けを阻止することができる。
【００７３】
〔発明２〕  前記第１の蓋部材が非導電性材料で形成されており、
前記第１の蓋部材に設けられ、前記収納室に収納された電池に接触する電池端子を有することを特徴とする前記発明１に記載の電子機器。
【００７４】
〔発明３〕  前記抜け止め部材および前記電池端子が一体的に形成されていることを特徴とする前記発明２に記載の電子機器。
【００７５】
〔発明４〕  前記電池端子がバネ性を有しており、前記電池収納室に収納された電池に対して圧接することを特徴とする前記発明２又は３に記載の電子機器。
【００７６】
〔発明５〕  前記第２の蓋部材を、前記機器本体との係合を外す方向に付勢する付勢部材を有することを特徴とする前記発明１に記載の電子機器。
【００７７】
〔発明６〕  前記解除部材を前記連結位置の方向に付勢する付勢部材を有することを特徴とする前記発明１に記載の電子機器。
【００７８】
〔発明７〕  前記第１の蓋部材を、前記蓋ユニットの開き方向に付勢する付勢部材を有することを特徴とする前記発明１に記載の電子機器。
【００７９】
【発明の効果】
本発明によれば、第１の蓋部材に対して第２の蓋部材を摺動させるだけで組み込むことができるため、従来技術のように蓋部材を撓ませる必要がなく、蓋部材の変形を防止することができる。
【図面の簡単な説明】
【図１】本実施形態であるカメラの外観斜視図。
【図２】本実施形態であるカメラの分解斜視図（上面）。
【図３】本実施形態であるカメラの分解斜視図（下面）。
【図４】電池蓋の作動状態を示す横断面図（閉じ状態）。
【図５】電池蓋の作動状態を示す横断面図（開き途中の状態）。
【図６】電池蓋の作動状態を示す横断面図（開き途中の状態）。
【図７】電池蓋の作動状態を示す縦断面図（閉じ状態）。
【図８】電池蓋の作動状態を示す縦断面図（開き途中の状態）。
【図９】電池蓋の作動状態を示す縦断面図（開き状態）。
【図１０】従来技術であるカメラの外観斜視図。
【図１１】従来技術であるカメラの分解斜視図。
【符号の説明】
１・・・カメラ本体
１ａ・・・アクショングリップ
２・・・電池蓋
３・・・フロントカバー
３ａ、３ｂ、３ｃ・・・爪部
４・・・リアカバー
５・・・電池ホルダー
５ａ・・・軸受部
６・・・第１蓋部材
６ａ、６ｂ、６ｃ・・・リブ
６ｄ、６ｅ・・・ロック溝部
６ｆ、６ｇ・・・スライド溝部
６ｈ、６ｉ・・・位置決めピン
６ｊ、６ｋ・・・貫通穴部
７・・・回転軸
８・・・回転バネ
９・・・第２蓋部材
９ａ、９ｂ、９ｃ・・・ガイド溝部
９ｄ、９ｅ、９ｆ・・・係止部
９ｇ・・・取付溝部
９ｈ・・・スライド穴部
１０・・・第１付勢バネ
１１・・・解除部材
１１ａ・・・スライドボタン
１１ｂ、１１ｃ・・・ロックピン
１１ｄ・・・検出部
１２・・・検出スイッチ
１３・・・第２付勢バネ
１４・・・電池端子
１４ａ、１４ｂ・・・電極
１４ｃ、１４ｄ・・・曲げ部
１４ｅ・・・位置決め穴部
１４ｆ・・・ロック部
１５・・・電池端子
１５ａ、１５ｂ・・・電極
１５ｃ、１５ｄ・・・曲げ部
１５ｅ・・・位置決め穴部
１５ｆ・・・ロック部
１６、１７、１８、１９・・・単三電池
２０、２１・・・ビス
３１・・・カメラ本体
３１ａ・・・アクショングリップ部
３２・・・電池蓋
３３、３４、３５、３６・・・単三電池
３７・・・フロントカバー
３７ａ、３７ｂ、３７ｃ・・・爪部
３８・・・リアカバー
３９・・・電池ホルダー
３９ａ・・・軸受部
４０・・・第１蓋部材
４０ａ、４０ｂ・・・接触部
４０ｃ、４０ｄ・・・摺動部
４０ｅ、４０ｆ・・・ロック穴部
４１・・・回転軸
４２・・・第２蓋部材
４２ａ、４２ｂ・・・ガイド溝部
４２ｃ、４２ｄ、４２ｅ・・・係止部
４２ｆ・・・取付溝部
４２ｇ・・・スライド穴部
４３・・・電極
４４・・・ビス
４５・・・解除部材
４５ａ・・・スライドボタン
４５ｂ、４５ｃ・・・ロックピン
４６・・・バネ
【図１】
2004253601.tif 000003
【図２】
2004253601.tif 000004
【図３】
2004253601.tif 000005
【図４】
2004253601.tif 000006
【図５】
2004253601.tif 000007
【図６】
2004253601.tif 000008
【図７】
2004253601.tif 000009
【図８】
2004253601.tif 000010
【図９】
2004253601.tif 000011
【図１０】
2004253601.tif 000012
【図１１】
2004253601.tif 000013